(57)【要約】【課題】冷却水の水温が上昇したことに起因して燃料電池の出力制限が行われていることを運転者に認識させる。【解決手段】制御部６は、イグニッションＯＮ等の運転起動命令を受信すると、温度センサＴにより検出された冷却水の水温に応じて水温計９の指針を制御する。そして、温度センサＴにより検出された冷却水の水温が、燃料電池の出力制限が開始される温度以上であるか否かを判定し、ＹＥＳである場合に、水温計９の指針をレッドゾーンに移行させる。【選択図】図１
2009158397.tif 000002
【特許請求の範囲】
【請求項１】
反応ガスの供給を受けて当該反応ガスの電気化学反応により電力を発生する燃料電池と、
前記燃料電池に冷却水を循環供給する冷却水循環機構と、
前記冷却水循環機構における前記冷却水の水温を検出する温度センサと、
前記温度センサにより検出される温度が、前記冷却水の水温に応じて前記燃料電池の出力制限が開始されるときの当該冷却水の水温以上である場合に、前記冷却水の水温状況を表示する水温状況表示部における表示を、前記冷却水の水温が異常であることを示す水温異常状態に移行させる制御手段と、
を備えることを特徴とする燃料電池システム。
【請求項２】
前記制御手段は、前記温度センサにより検出される温度が、前記冷却水の水温に応じて前記燃料電池の出力制限が開始されるときの当該冷却水の水温以上であり、かつ前記冷却水の水温に応じて前記燃料電池の出力が停止させられるときの当該冷却水の水温以下である場合に、前記水温状況表示部における表示を前記水温異常状態に移行させることを特徴とする請求項１に記載の燃料電池システム。
【請求項３】
前記制御手段は、前記温度センサにより検出される温度が、前記冷却水の水温に応じて前記燃料電池の出力制限が開始されるときの当該冷却水の水温に到達したときに、前記水温状況表示部における表示を前記水温異常状態に移行させることを特徴とする請求項１記載の燃料電池システム。
【請求項４】
前記制御手段は、前記温度センサにより検出される温度が、前記冷却水の水温に応じて前記燃料電池の出力が停止させられるときの当該冷却水の水温に到達したときに、前記水温状況表示部における表示を前記水温異常状態に移行させることを特徴とする請求項１記載の燃料電池システム。
【発明の詳細な説明】
【技術分野】
【０００１】
本発明は、燃料電池システムに関する。
【背景技術】
【０００２】
燃料電池システムを搭載する燃料電池車両（ＦＣＨＶ；Fuel Cell Hybrid Vehicle）には、ガソリン車と同様に、メータパネル内に冷却水の水温状況を表示するための水温計が設けられている。冷却水の水温は、燃料電池の温度上昇に合わせて上昇する。したがって、水温計の表示は、運転者にとってオーバーヒートを起こすかどうかを判断する際の目安になる。また、燃料電池車両は、燃料電池のスタックを熱から保護する必要があるため、冷却水の水温が所定の閾値以上に上昇すると、燃料電池の出力制限を行う（下記特許文献１および２参照）。
【特許文献１】特開２００１−０９５１０７号公報
【特許文献２】特開２００３−０６８３４２号公報
【発明の開示】
【発明が解決しようとする課題】
【０００３】
ところで、燃料電池車両では、スタックを熱から保護するために、燃料電池の出力制限を開始させる上記所定閾値が、オーバーヒートであると判定されるときの温度よりも低い温度に設定されている。したがって、冷却水の水温が所定閾値からオーバーヒート時の温度までの間である場合に、燃料電池車両の運転者は、冷却水の水温が正常であるにもかかわらず、踏み込んだアクセル量に応じたパワーを出せないことに違和感を覚えることになる。
【０００４】
本発明は、上述した従来技術による問題点を解消するためになされたものであり、冷却水の水温が上昇したことに起因して燃料電池の出力制限が行われていることを使用者に認識させることができる燃料電池システムを提供することを目的とする。
【課題を解決するための手段】
【０００５】
上述した課題を解決するため、本発明に係る燃料電池システムは、反応ガスの供給を受けて当該反応ガスの電気化学反応により電力を発生する燃料電池と、燃料電池に冷却水を循環供給する冷却水循環機構と、冷却水循環機構における冷却水の水温を検出する温度センサと、温度センサにより検出される温度が、冷却水の水温に応じて燃料電池の出力制限が開始されるときの当該冷却水の水温以上である場合に、冷却水の水温状況を表示する水温状況表示部における表示を、冷却水の水温が異常であることを示す状態に移行させる制御手段と、を備えることを特徴とする。
【０００６】
この発明によれば、冷却水の水温を検出する温度センサにより検出される温度が、冷却水の水温に応じて燃料電池の出力制限が開始されるときの当該冷却水の水温以上である場合に、水温状況表示部における表示を、冷却水の水温が異常であることを示す水温異常状態に移行させることができる。したがって、使用者は、水温状況表示部の表示が水温異常状態に移行したときに、冷却水の水温が異常であることを認識するとともに、燃料電池の出力制限が開始されたことを認識することができる。
【０００７】
上記燃料電池システムにおいて、上記制御手段は、温度センサにより検出される温度が、冷却水の水温に応じて燃料電池の出力制限が開始されるときの当該冷却水の水温以上であり、かつ冷却水の水温に応じて燃料電池の出力が停止させられるときの当該冷却水の水温以下である場合に、水温状況表示部における表示を上記水温異常状態に移行させることができる。
【０００８】
これにより、冷却水の水温上昇に起因して燃料電池の出力制限が開始されてから燃料電池の運転が停止するまでの間に、水温異常および出力制限の事実を使用者に認識させることができる。
【０００９】
上記燃料電池システムにおいて、上記制御手段は、温度センサにより検出される温度が、冷却水の水温に応じて燃料電池の出力制限が開始されるときの当該冷却水の水温に到達したときに、水温状況表示部における表示を上記水温異常状態に移行させることができる。
【００１０】
これにより、冷却水の水温上昇に起因して燃料電池の出力制限が開始されたことを使用者に認識させることができる。
【００１１】
上記燃料電池システムにおいて、上記制御手段は、温度センサにより検出される温度が、冷却水の水温に応じて燃料電池の出力が停止させられるときの当該冷却水の水温に到達したときに、水温状況表示部における表示を上記水温異常状態に移行させることができる。
【００１２】
これにより、水温がオーバーヒートを引き起こす状態にまで高くなった時点で水温状況表示部の表示を水温異常状態に移行させることができる。また、出力制限によって燃料電池システムが停止する際に水温異常状態に移行させることができる。したがって、燃料電池システムの停止原因が冷却水の温度上昇であることを使用者に認識させることができる。
【発明の効果】
【００１３】
本発明によれば、冷却水の温度が上昇したことに起因して燃料電池の出力制限が行われていることを運転者に認識させることができる。
【発明を実施するための最良の形態】
【００１４】
以下、添付図面を参照して、本発明に係る燃料電池システムの好適な実施形態について説明する。本実施形態では、本発明に係る燃料電池システムを燃料電池車両（ＦＣＨＶ；Fuel Cell Hybrid Vehicle）の車載発電システムとして用いた場合について説明する。
【００１５】
本発明に係る燃料電池システムは、燃料電池を冷却させる冷却水の水温が、燃料電池の出力制限が開始されるときの温度以上に設定された所定温度に達した場合に、水温状況表示部の表示を水温異常状態に移行させることで、冷却水の水温上昇に起因して燃料電池の出力制限が開始されたことを使用者に認識させるものである。以下に、このような特徴を有する燃料電池システムの構成および動作について詳細に説明する。
【００１６】
まず、図１を参照して、本実施形態における燃料電池システムの構成について説明する。図１は、本実施形態における燃料電池システムを模式的に示した構成図である。
【００１７】
同図に示すように、燃料電池システム１は、反応ガスである酸化ガスおよび燃料ガスの供給を受けて電気化学反応により電力を発生する燃料電池２と、酸化ガスとしての空気を燃料電池２に供給する酸化ガス配管系３と、燃料ガスとしての水素を燃料電池２に供給する水素ガス配管系４と、燃料電池２に冷却水を循環供給する冷却系５（冷却水循環機構）と、システム全体を統括制御する制御部６（制御手段）とを有する。
【００１８】
燃料電池２は、例えば、高分子電解質型の燃料電池であり、多数の単セルを積層したスタック構造となっている。単セルは、イオン交換膜からなる電解質の一方の面にカソード極（空気極）を有し、他方の面にアノード極（燃料極）を有し、さらにカソード極およびアノード極を両側から挟み込むように一対のセパレータを有する構造となっている。この場合、一方のセパレータの水素ガス流路に水素ガスが供給され、他方のセパレータの酸化ガス流路に酸化ガスが供給され、これらの反応ガスが化学反応することで電力が発生する。燃料電池２には、燃料電池の出力電流を検出する電流センサＡが設けられている。
【００１９】
酸化ガス配管系３は、フィルタ３０を介して大気中の酸化ガスを取り込んで圧縮してから送出するコンプレッサ３１と、酸化ガスを燃料電池２に供給するための空気供給流路３２（酸化ガス供給流路）と、燃料電池２から排出された酸化オフガスを排出するための空気排出流路３３とを有する。空気供給流路３２および空気排出流路３３には、コンプレッサ３１から圧送された酸化ガスを燃料電池２から排出された酸化オフガスを用いて加湿する加湿器３４が設けられている。この加湿器３４で水分交換等された酸化オフガスは、最終的に排ガスとしてシステム外の大気中に排気される。
【００２０】
水素ガス配管系４は、高圧の水素ガスを貯留した燃料供給源としての水素タンク４０と、水素タンク４０の水素ガスを燃料電池２に供給するための燃料供給流路としての水素供給流路４１と、燃料電池２から排出された水素オフガスを水素供給流路４１に戻すための水素循環流路４２とを有する。
【００２１】
水素供給流路４１には、水素タンク４０からの水素ガスの供給を遮断または許容する主止弁４３と、水素ガスの圧力を予め設定した二次圧に調圧するレギュレータ４４とが設けられている。
【００２２】
水素循環流路４２には、水素循環流路４２内の水素オフガスを加圧して水素供給流路４１側へ送り出す水素ポンプ４５が設けられている。また、水素循環流路４２には、気液分離器４６及び排気排水弁４７を介して排出流路４８が接続されている。気液分離器４６は、水素オフガスから水分を回収する。排気排水弁４７は、制御部６からの指令に従って、気液分離器４６で回収された水分と水素循環流路４２内の不純物を含む水素オフガスとを排出（パージ）する。排気排水弁４７から排出された水素オフガスは、希釈器４９によって希釈されて空気排出流路３３内の酸化オフガスと合流する。
【００２３】
冷却系５は、冷却水を冷却するラジエータ５１と、冷却水を燃料電池２およびラジエータ５１に循環供給する冷却水循環流路５２と、冷却水を冷却水循環流路５２に循環させる冷却水循環ポンプ５３とを有する。冷却水循環流路５２のうち、燃料電池２の出口側には、冷却水の水温を検出する温度センサＴが設けられている。なお、温度センサＴを設ける位置は、燃料電池２の入口側であってもよい。
【００２４】
制御部６は、燃料電池車両に設けられた加速操作部材（アクセル等）の操作量を検出し、加速要求値（例えば、トラクションモータ等の電力消費装置からの要求発電量）等の制御情報を受けて、システム内の各種機器の動作を制御する。なお、電力消費装置には、トラクションモータの他に、例えば、燃料電池２を作動させるために必要な補機装置（例えばコンプレッサ３１や水素ポンプ４５、冷却水循環ポンプ５３のモータ等）、車両の走行に関与する各種装置（変速機、車輪制御装置、操舵装置、懸架装置等）で使用されるアクチュエータ、乗員空間の空調装置（エアコン）、照明、オーディオ等が含まれる。
【００２５】
制御部６は、温度センサＴにより検出される温度に応じて、燃料電池システム１の外部にあるメータパネル内に設けられた水温計９（水温状況表示部）の指針を制御する。具体的には、運転始動時には、冷却水の水温上昇に合わせて、水温計９の指針を低温領域から安定領域に移行させる。そして、冷却水の水温が所定の安定温度範囲内にある間は、針が安定領域内に留まるように制御する。さらに、冷却水の水温が所定の安定温度範囲を超えて上昇した場合には、指針を安定領域からレッドゾーンに移行させる。すなわち、水温計９の表示を、冷却水の水温が異常であることを示す水温異常状態に移行させる。
【００２６】
制御部６は、温度センサＴにより検出される温度が、後述する所定の温度以上であるか否かを判定し、所定の温度以上である場合に、水温計９の指針をレッドゾーンに移行させる。
【００２７】
所定の温度としては、例えば、冷却水の水温に応じて燃料電池２の出力制限が開始されるときの冷却水の水温から、冷却水の水温に応じて燃料電池２の出力が停止させられるときの冷却水の水温までの間の温度が該当する。
【００２８】
ここで、燃料電池車両では、燃料電池２のスタックを熱から保護するために、冷却水の水温が所定の閾値以上に上昇すると、燃料電池２の出力を制限して燃料電池２における発熱を抑える。
【００２９】
出力を制限する方法としては、例えば、冷却水の水温と出力電流の上限値との関係を示すマップを予めメモリ等に登録しておき、このマップに従い燃料電池の出力を制限する方法がある。この方法を採用した場合に、制御部６は、温度センサＴにより検出された温度に対応する出力電流の上限値をマップから抽出し、燃料電池２の出力電流を、この抽出した出力電流の上限値以下に抑える。
【００３０】
上述したレッドゾーンに移行させる際の所定の温度として、例えば、冷却水の水温に応じて燃料電池２の出力制限が開始されるときの冷却水の水温を採用した場合には、冷却水の水温上昇に起因して燃料電池２の出力制限が開始されたことを、運転者に認識させることができる。
【００３１】
一方、所定の温度として、例えば、冷却水の水温に応じて燃料電池２の出力が停止させられるときの冷却水の水温を採用した場合には、水温が、オーバーヒートを引き起こす状態にまで高くなった時点で水温計の表示をレッドゾーン表示に移行させることができる。また、出力制限によって燃料電池システムが停止する際にレッドゾーン表示に移行させることができるため、燃料電池システムの停止原因が冷却水の温度上昇であることを運転者に認識させることができる。
【００３２】
なお、水温計９は、水温の高／低を表示する一般のアナログ表示式の水温計に限定されることはない。例えば、水温の数値目盛を針で指示するアナログ表示式の水温計であってもよいし、水温を数値表示するデジタル表示式の水温計であってもよい。このような水温計を採用することで、現在の冷却水の水温を運転者に数値で具体的に確認させることができるため、冷却水の水温が上昇していく状況等を運転者に把握させることができる。これにより、運転者は、出力制限が開始されるタイミング等を事前に予測しながら運転することができるため、ユーザビリティがより向上する。
【００３３】
ここで、制御部６は、物理的には、例えば、ＣＰＵと、ＣＰＵで処理される制御プログラムや制御データを記憶するＲＯＭと、主として制御処理のための各種作業領域として使用されるＲＡＭと、入出力インターフェースとを有する。これらの要素は、互いにバスを介して接続されている。入出力インターフェースには、温度センサＴや電流センサＡ等の各種センサが接続されているとともに、コンプレッサ３１、主止弁４３、水素ポンプ４５、排気排水弁４７および冷却水循環ポンプ５３等を駆動させるための各種ドライバが接続されている。
【００３４】
ＣＰＵは、ＲＯＭに記憶された制御プログラムに従って、入出力インターフェースを介して温度センサＴでの検出結果を受信し、ＲＡＭ内の各種データ等を用いて処理することで、燃料電池システムの水温計表示制御処理等を制御する。また、ＣＰＵは、入出力インターフェースを介して各種ドライバに制御信号を出力することにより、燃料電池システム１全体を制御する。
【００３５】
次に、図２に示すフローチャートを用いて、本実施形態における燃料電池システムの水温計表示制御処理について説明する。
【００３６】
まず、制御部６は、イグニッションＯＮ等の運転起動命令を受信すると、温度センサＴにより検出された冷却水の水温に応じて水温計９の指針を制御する（ステップＳ１）。
【００３７】
続いて、制御部６は、温度センサＴにより検出された冷却水の水温が、燃料電池の出力制限が開始される温度以上であるか否かを判定する（ステップＳ２）。この判定がＮＯである場合（ステップＳ２；ＮＯ）には、処理を上記ステップＳ１に移行する。
【００３８】
一方、上記ステップＳ２の判定で冷却水の水温が燃料電池の出力制限が開始される温度以上であると判定された（ステップＳ２；ＹＥＳ）場合に、制御部６は、水温計９の指針をレッドゾーンに移行させる（ステップＳ３）。これにより、運転者は、冷却水の水温上昇に起因して燃料電池２の出力制限が開始されたことを認識することができる。
【００３９】
上述してきたように、実施形態における燃料電池システム１によれば、冷却水の水温を検出する温度センサＴにより検出される温度が、冷却水の水温に応じて燃料電池２の出力制限が開始されるときの当該冷却水の水温以上である場合に、水温計９の指針をレッドゾーンに移行させることができる。したがって、水温計９を見た運転者は、冷却水の水温が異常であることを認識するとともに、冷却水の水温が上昇したことに起因して燃料電池２の出力制限が開始されたことを認識することができる。
【００４０】
なお、上述した実施形態においては、本発明に係る燃料電池システムを燃料電池車両に搭載した場合について説明しているが、燃料電池車両以外の各種移動体（ロボット、船舶、航空機等）にも本発明に係る燃料電池システムを適用することができる。また、本発明に係る燃料電池システムを、建物（住宅、ビル等）用の発電設備として用いられる定置用発電システムに適用することもできる。
【図面の簡単な説明】
【００４１】
【図１】実施形態における燃料電池システムを模式的に示す構成図である。
【図２】燃料電池システムの水温計表示制御処理を説明するためのフローチャートである。
【符号の説明】
【００４２】
１…燃料電池システム、２…燃料電池、３…酸化ガス配管系、４…水素ガス配管系、５…冷却系、６…制御部、９…水温計、５１…ラジエータ、５２…冷却水循環流路、５３…冷却水循環ポンプ、Ａ…電流センサ、Ｔ…温度センサ。
【図１】
2009158397.tif 000003
【図２】
2009158397.tif 000004